(57)【要約】【課題】視覚障害者誘導ブロックの路面に雨水等が溢れることを防止し、安全、快適に歩行することができる視覚障害者誘導用ブロックを提供する。【解決手段】視覚障害者誘導用ブロック１は、上面が略正方形の路面２Ａとなり、該路面２Ａ上に誘導用線状突起２Ｃが複数形成してある透水体２と、該透水体２の下に設けた非透水体５の二層構造からなる。該透水体２は、多数の小石３、３、・・・とセメントペースト４を所定の割合で混合し固着することにより、全体に無数の連続空隙２Ｂ、２Ｂ、・・・が形成してある。該視覚障害者誘導用ブロック１は路盤７の上に舗装盤８に埋め込む状態で配設してあり、路面２Ａ上の雨水等は透水体２に浸透していくが非透水体５及び路盤７に浸透することがなく、排水勾配により路肩７Ａ側へ排水される。【選択図】図１
0003127224.tif 000002
【実用新案登録請求の範囲】
【請求項１】
路面に多数の線状突起又は点状突起を形成してある透水体と、該透水体の下面に設けた非透水体とから構成してなる視覚障害者誘導用ブロック。
【請求項２】
前記透水体は、多数の小石をセメントペーストにより固着し、全体に無数の連通空隙を形成してなることを特徴とする請求項１記載の視覚障害者誘導用ブロック。
【請求項３】
前記非透水体は、コンクリートで形成してなることを特徴とする請求項１記載の視覚障害者誘導用ブロック。
【請求項４】
前記非透水体は、合成樹脂で形成してなることを特徴とする請求項１記載の視覚障害者誘導用ブロック。
【請求項５】
前記透水体と非透水体は、一体に固着してなる請求項１記載の視覚障害者誘導用ブロック。
【考案の詳細な説明】
【技術分野】
【０００１】
本考案は、歩道等に設置し、視覚障害者の歩行を助ける視覚障害者誘導用ブロックに関する。
【背景技術】
【０００２】
近年、路面の水捌けをよくすることにより、路面を常時露出状態に保ち、冬期には路面の凍結を防止して歩行者の安全と快適性を確保するようにした排水性舗装道路が施工されている。この排水性舗装道路は、地盤の上に小石と砂利を敷き詰めてなる路盤を敷設し、その路盤の上に多数の小石をアスファルトで固めて無数の連通空隙を形成した透水性舗装層及びアスファルトを用いた非透水性舗装層からなる舗装盤を敷設したもので、路面上の雨水や融雪水を下方に浸透させ、路面に溢れた雨水等は側溝によって流出させるようにしている。
【０００３】
そして、歩道等においては、上面に誘導用の突起を複数設けてある視覚障害者誘導用ブロックを舗装盤に埋め込んだ状態で敷設して視覚障害者の歩行を容易かつ安全にしている。その視覚障害者誘導用ブロックは通常、非透水体のみの一層構造又は透水体のみの一層構造で形成されている。
【考案の開示】
【考案が解決しようとする課題】
【０００４】
視覚障害者誘導用ブロックが非透水体のみの一層構造である場合は、雨水等は該誘導用ブロックに浸透することがないため路面に溢れて滑りやすくなり、また路面に水溜りができることにより履物、衣服等が汚れ、さらに冬期には路面が凍り滑りやすくなる。また、排水勾配により誘導用ブロックより上流側から流れてくる雨水等が誘導用ブロックに遮られ、道路表面にあふれ出てくることとなる。一方、誘導用ブロックが透水体のみの一層構造である場合は、雨水等は該誘導用ブロックを通過して路盤へ浸透し、路盤に滞留した雨水等が凍結し、凍上現象によって誘導ブロックが損傷することがある。また、強度性に欠けるという欠点がある。更に、誘導ブロックを樹脂性の貼り付けタイプのものにした場合は、降雨時または降雪時は滑りやすく、厚さ分だけ段差が生じるため視覚障害者にとっては危険である。さらに、視覚障害者誘導用ブロックの上面には複数の誘導用突起が設けてあるため、その誘導用突起間の溝となる部分に雨水等が溜まって水溜りができやすいという問題がある。
【０００５】
本考案は上述した従来技術の欠点に鑑みなされたもので、視覚障害者誘導用ブ
ロックの路面に雨水等が溢れることを防止するもので、安全、快適に歩行することができ、強度性に優れた視覚障害者誘導用ブロックを提供することを目的とする。
【課題を解決するための手段】
【０００６】
上述した課題を解決するために構成した本考案の手段は、路面に多数の線状突起又は点状突起を形成してある透水体と、該透水体の下面に設けた非透水体とからなる。
【０００７】
また、前記透水体は、多数の小石をセメントペーストにより固着し、全体に無数の連通空隙を形成するとよい。
【０００８】
また、前記非透水体は、コンクリートで形成するとよい。
【０００９】
また、前記非透水体は、合成樹脂で形成するとよい。
【００１０】
また、前記透水体と非透水体は、一体に固着するとよい。
【考案の効果】
【００１１】
本考案は、上述の構成とすることにより以下の諸効果を奏する。
（１）視覚障害者誘導用ブロック上に雨水等が滞水することがないため、降雨時であっても安全、快適に歩行することができる。
（２）視覚障害者誘導用ブロック上に雨水等が滞水せず水溜りができないため、履物、衣服等が汚れることがない。
（３）視覚障害者誘導用ブロック上に融雪水等が滞水しないため、氷点下になる場合でも路面が凍り滑りやすくなることがなく、安全に歩行することができる。
（４）視覚障害者誘導用ブロックの透水体内に浸透した雨水等は排水勾配により速やかに排出することができるから、凍上現象等による視覚障害者誘導用ブロックの損傷を防ぐことができる。
（５）雨水等は非透水体に遮られその下の路盤中に浸透することがないため、凍上現象等による路盤の損傷を防ぐことができる。
【考案を実施するための最良の形態】
【００１２】
以下、本考案の実施の形態を図面に基き説明する。図１において、１は視覚障害者誘導用ブロックを示す。該誘導用ブロック１は上面が略正方形の路面２Ａとなった透水体２と、該透水体２の下面に設けた後述する非透水体５の二層構造からなる。該透水体２は多数の小石３、３、・・・とセメントペースト４を所定の割合で混合し固着することにより、全体に無数の連通空隙２Ｂ、２Ｂ、・・・が形成してあり、該連通空隙２Ｂを通って水は浸透するようになっている。非透水体５はコンクリートで形成してあり、本実施の形態では前記透水体２と非透水体５は同じ厚さ３０ｍｍに設定してある。ただし、厚さは必ずしも同じである必要はなく、設置場所の降水量等に合わせて適宜厚さを調整してもよい。また、車両等の荷重を受けない道路にあっては、該非透水体５は塩化ビニール等の合成樹脂で形成してもよい。
【００１３】
前記路面２Ａ上には誘導用線状突起２Ｃ、２Ｃ・・・が適宜幅を設けて複数形成してある。該誘導用線状突起２Ｃの高さは５ｍｍにしてあり、視覚障害者が足で踏むことにより視覚障害者誘導用ブロック１を認識し、安全に歩くことができるためのものである。なお、その誘導用突起は線状突起２Ｃに限られず、視覚障害者が足で踏むことにより認識することができるものであれば、図２に示すような複数の点状突起２Ｄ、２Ｄ・・・であってもよい。
【００１４】
図３は視覚障害者誘導用ブロック１を道路に設置した状態を示す。地盤６の上に小石と砂利を敷き詰めてなる路盤７を敷設し、該路盤７の上に透水性舗装層８Ａと該透水性舗装層８Ａの下に設けた非透水性舗装層８Ｂの二層からなる舗装盤８を敷設してある。そして、該路盤７は路肩７Ａ側に向けて緩やかな勾配を有する下り傾斜面となっている。
【００１５】
該舗装盤８の上面と路面２Ａが略同一面となるように、路盤７の上に視覚障害者誘導用ブロック１を舗装盤８に埋め込む状態で配設する。該路盤７は路肩７Ａ側に向けて緩やかな勾配を有する下り傾斜面となっているため、該路盤７の上に設けた舗装盤８及び視覚障害者誘導用ブロック１も同様に穏やかな勾配を有する下り傾斜面となっている。なお、本考案の視覚障害者誘導用ブロックの設置場所は道路の路肩付近に限られるものではなく、歩道の中心に設けてもいいので、設置場所は特に限定されるものではない。
【００１６】
本実施の形態は上述の構成からなっており、次にその作用について説明する。
図３に示すように、降りつける雨イは、路面２Ａから透水体２の連通空隙２Ｂ内に浸透していく。しかし、透水体２の下には非透水体５が設けられているため、雨水は非透水体５及び路盤７には浸透することはなく、勾配を有する透水体２及び透水性舗装層８Ａ内を移動し路肩７Ａの方向へ誘導され、最終的に側溝へ排水されることとなる。
【００１７】
また、融雪水の場合も同様に、路面２Ａ上で融けた水は路面２Ａから透水体２に浸透するが非透水体５には浸透せず、透水体２及び透水性舗装層８Ａ内を流動し、路肩７Ａ側へ排水されることとなる。
【００１８】
このようにして、視覚障害者誘導用ブロック１の路面２Ａ上に雨水等が滞留することを防ぎ、常に露出した状態にすることにより、視覚障害者は安全、快適に歩行することができる。また、冬期においても路面２Ａの凍結がないため安全、快適に歩行することができる。
【図面の簡単な説明】
【００１９】
【図１】線状突起を設けた視覚障害者誘導用ブロックの外観斜視図である。
【図２】点状突起を設けた視覚障害者誘導用ブロックの外観斜視図である。
【図３】視覚障害者誘導用ブロックを歩道に設置した状態及び水の流れを示す断面図である。
【符号の説明】
【００２０】
１    視覚障害者誘導用ブロック
２    透水体
２Ｂ  連通空隙
２Ｃ  誘導用線状突起
２Ｄ  誘導用点状突起
３    小石
４    セメントペースト
５    非透水体
【図１】
0003127224.tif 000003
【図２】
0003127224.tif 000004
【図３】
0003127224.tif 000005